(57)【要約】      （修正有）【課題】座席の背当に取り付けられたアームレストを背当前傾時に跳ね上げる機構が、座席後方に飛び出さない、また剥き出しにならない、さらに座席の左右幅方向の大きさを制限することがない、アームレスト装置を提供する。【解決手段】アームレスト装置２が、背当の中を左右幅方向に貫通し両側に突出した回動自在な支持軸６と、支持軸を所定の回動位置に解除自在に固定する背当の中に設置された固定手段８と、支持軸の突出部それぞれに取り付けられ支持軸が上記所定の回動位置のときに背当の前方側に向けて延びた一対のアームレスト１０と、支持軸をこの前方に延びたアームレストを上方に移動させる回動方向に付勢する背当の中に設置された付勢手段１２を備える。【選択図】図１
2007105101.tif 000002
【特許請求の範囲】
【請求項１】
座席の背当の中を左右幅方向に貫通し両側に突出した回動自在な支持軸と、
この支持軸を所定の回動位置に解除自在に固定する背当の中に設置された固定手段と、
支持軸の突出部それぞれに取り付けられ支持軸が上記所定の回動位置のときに背当の前方側に向けて延びた一対のアームレストと、
支持軸をこの前方に延びたアームレストを上方に移動させる回動方向に付勢する背当の中に設置された付勢手段と
を備えている、ことを特徴とするアームレスト装置。
【請求項２】
固定手段が、
支持軸に一体に取り付けられ半径方向外方に開口する係合凹部を有した係合部材と、
背当に取り付けられこの係合凹部に係脱自在に係合し支持軸の回動を係止する係止部材と
を備えている、ことを特徴とする請求項１記載のアームレスト装置。
【請求項３】
係止部材が、係合凹部と係合する方向に付勢されている、
ことを特徴とする請求項２記載のアームレスト装置。
【請求項４】
固定手段による固定が、
背当を前後方向に傾動操作するリクライニングレバーの操作に連動して解除される、
ことを特徴とする請求項１から３までのいずれかに記載のアームレスト装置。
【発明の詳細な説明】
【技術分野】
【０００１】
本発明は、建設機械の運転座席などに好適なアームレスト装置に関する。
【背景技術】
【０００２】
図５を参照して説明する。例えば建設機械の運転席である座席３０は、その座部３２の脇に、背当３４に取り付けられたアームレスト３６を備えている。背当３４は、座席３０の後方部分へのアクセスを容易にするために前方に倒せるようになっている（二点鎖線で示す）。したがって、アームレスト３６が、背当３４を前傾させたときに一緒に倒れ周辺の操縦装置３８、コンソール４０などと干渉しないようにするために、背当３４の前傾に連動してアームレスト３６を跳ね上げる機構が種々開発されている。
【０００３】
代表的な跳ね上げ機構の一例（例えば、特許文献１参照）は、アームレストと座部の間に４節リンクを備え、アームレストを背当の前傾に連動させて起き上がるようにしたものである。
【０００４】
代表的な跳ね上げ機構の他の例（例えば、特許文献２参照）は、アームレストを背当の前傾に連動させて起き上がるようにアームレストと座部の間に４節リンクを備えるとともに手動による跳ね上げも可能にしたものである。
【特許文献１】実開平５−４０３５８号公報（第１図、第２図）
【特許文献２】特開２００４−１６６３３号公報（第１図）
【発明の開示】
【発明が解決しようとする課題】
【０００５】
しかしながら、上述したとおりの形態のアームレストには次のとおりの解決すべき課題がある。
【０００６】
すなわち、４節リンク機構の一部が座席の後方に飛び出しているので、座席周辺のスペースが限られている場合には、座席を後方にスライドさせたときに飛び出し部分が、運転室のパネルなどの構造物と干渉しないようにするために、また操作者の手・指などが挟まれないようにするために、余分な空きスペースを備える必要があり、座席のスライド量を制限する必要がある。
【０００７】
４節リンク機構はまた、剥き出しになっているので見映えを悪くし、製品価値を下げてしまう。
【０００８】
さらに、跳ね上げ機構が座席の左右幅方向においてアームレストと背当の間に備えられる場合（例えば、特許文献２参照）には、限られた大きさの例えば建設機械の運転室の中でアームレストと背当の幅が小さく制限される。
【０００９】
本発明は上記事実に鑑みてなされたもので、その技術的課題は、座席の背当に取り付けられたアームレストを背当前傾時に跳ね上げる機構が、座席の後方に飛び出さない、また剥き出しにならない、さらに座席の左右幅方向の大きさを制限することがない、アームレスト装置を提供することである。
【課題を解決するための手段】
【００１０】
本発明によれば上記技術的課題を解決するアームレスト装置として、座席の背当の中を左右幅方向に貫通し両側に突出した回動自在な支持軸と、この支持軸を所定の回動位置に解除自在に固定する背当の中に設置された固定手段と、支持軸の突出部それぞれに取り付けられ支持軸が上記所定の回動位置のときに背当の前方側に向けて延びた一対のアームレストと、支持軸をこの前方に延びたアームレストを上方に移動させる回動方向に付勢する背当の中に設置された付勢手段とを備えている、ことを特徴とするアームレスト装置が提供される。
【００１１】
好適には、固定手段は、支持軸に一体に取り付けられ半径方向外方に開口する係合凹部を有した係合部材と、背当に取り付けられこの係合凹部に係脱自在に係合し支持軸の回動を係止する係止部材とを備えている。また、係止部材は、係合凹部と係合する方向に付勢されている。さらに固定手段による固定は、背当を前後方向に傾動操作するリクライニングレバーの操作に連動して解除される。
【発明の効果】
【００１２】
本発明に従って構成されたアームレスト装置は、一対のアームレストが、座席の背当の中を左右幅方向に貫通した回動自在な支持軸の突出部それぞれに取り付けられ、背当の中に支持軸を所定の回動位置に解除自在に固定する固定手段およびアームレストの先端部を上げる方向に支持軸を付勢する付勢手段を備えている。したがって、座席の背当に取り付けられたアームレストを背当前傾時に跳ね上げる機構が、座席の後方に飛び出さない、また剥き出しにならない、さらに座席の左右幅方向の大きさを制限することがない、アームレスト装置を提供することができる。
【発明を実施するための最良の形態】
【００１３】
以下、本発明に従って構成されたアームレスト装置について、好適実施形態を図示している添付図面を参照して、さらに詳細に説明する。なお、図１〜図３において座席の背当は構成を明示すためにその背布を外した状態で示されている。
【００１４】
図１を参照して説明する。全体を番号２で示すアームレスト装置は、座席３の前後方向に傾動可能な背当４の中を左右幅方向に貫通し両側に突出した回動自在な支持軸６と、支持軸６を所定の回動位置（図１に示す位置）に解除自在に固定する背当４の中に設置された固定手段８と、支持軸６の突出部それぞれに取り付けられ支持軸６が上記所定の回動位置のときに背当４の前方側に向けて延びた一対のアームレスト１０、１０と、支持軸６をこの前方に延びたアームレスト１０を上方に移動させる回動方向Ｚに付勢する背当４の中に設置された付勢手段１２を備えている。
【００１５】
背当４は、下端部の傾動中心５を中心に、矢印Ｆで示す前方と矢印Ｒで示す後方に傾動可能に取り付けられている。
【００１６】
図１とともに図２〜図４を参照して説明する。主として図２および図４を参照して説明すると、固定手段８は、支持軸６に一体に取り付けられ半径方向外方に開口する係合凹部１４ａを有した係合部材としてのカム部材１４と、背当４に取り付けられこの係合凹部１４ａに係脱自在に係合し支持軸６の回動を係止する係止部材としての固定ピン１６を備えている。
【００１７】
カム部材１４は略円板状に形成され、背当４の右側フレーム４ａに隣接して位置付けられている。円板の外周縁の一部、周方向約１１０°の範囲θには、支持軸６の軸線７を中心にして外周縁より小径の半径Ｒの円周面１４ｂ、および円周面１４ｂの周方向の一側である回動方向Ｚの先端側に固定ピン１６が嵌合する周方向幅Ｗで底部が軸線７から半径Ｒより小さい半径ｒの係合凹部１４ａが形成されている。円周面１４ｂの他側である回動方向Ｚの後端側には、外周縁に向けて延び固定ピン１６が当接するストッパ部１４ｃが形成されている。
【００１８】
固定ピン１６は、係合凹部１４ａの幅Ｗに係脱自在に嵌合する外径を有し、背当４の右フレーム４ａに設けられたブラケット４ｄに、支持軸６の軸線７に直交する方向に向けて摺動自在に取り付けられている。
【００１９】
固定ピン１６は係合凹部１４ａと係合する方向に付勢されている。すなわち、固定ピン１６の係合端と反対の基端面と、右フレーム４ａに設けられたブラケット４ｃの間に、圧縮コイルばね１８が取り付けられ、この圧縮コイルばね１８によって固定ピン１６は付勢されている。
【００２０】
固定ピン１６のこの基端面には、圧縮コイルばね１８およびブラケット４ｃの中を通したプルケーブル２０の一端が連結されている。
【００２１】
プルケーブル２０の他端は、傾動自在に固定された背当４の固定位置解除を操作する背当４の右側面の傾動中心５部に設けられたリクライニングレバー２２（図３）に連結されている。リクライニングレバー２２が操作されると、操作に連動してプルケーブル２０が引っ張られ、固定ピン１６の係合端が係止凹部１４ａから引き抜かれ、係止凹部１４ａと固定ピン１６の係合が解除される。
【００２２】
主として図３および図４を参照して付勢手段１２について説明する。付勢手段１２は、背当４の左フレーム４ｂに設けられたばね掛けピン１２ａと、ばね掛けピン１２ａに対応して支持軸６に一体に取り付けられたばね掛け板１２ｂと、その間に取り付けられた引張コイルばね１２ｃを備えている。引張りコイルばね１２ｃは、支持軸６を回動方向Ｚのアームレスト１０の先端部側を上げる方向に付勢するように配設されている。
【００２３】
上述のアームレスト１０そのものは周知のものでよい。したがってその説明は省略する。また、リクライニングレバー２２も周知のものでよい。したがってその説明も省略する。
【００２４】
主として図４を参照してアームレスト装置２の作動について説明する。アームレスト１０を取り付けた支持軸６は、図示のアームレスト１０が略水平方向に位置した所定の回動位置Ａに固定手段８により解除自在に固定されている。この状態において支持軸６は、水平に前方に延びたアームレスト１０を上方に移動させる回動方向Ｚに、付勢手段１２の引張コイルばね１２ｃによって付勢されている。
【００２５】
リクライニングレバー２２（図３）を操作すると、リクライニングレバー２２にプルケーブル２０によって連結した固定ピン１６は、圧縮コイルばね１８を圧縮しながら係合凹部１４ａから引き抜かれ係合が外れ、支持軸６は、引張コイルばね１２ｃの付勢力によって回動方向Ｚに回動し、アームレスト１０は上方に跳ね上がる。支持軸６の回動により、係合凹部１４ａを有したカム部材１４はそのストッパ部１４ｃが固定ピン１６と当接する位置に回動（二点鎖線で示す）し、アームレスト１０は跳ね上げ位置Ｂに位置付けられる。
【００２６】
アームレスト１０を元の位置Ａに復帰させるには、位置Ｂのアームレスト１０を回動方向Ｚと逆方向に手で動かすと、位置Ａにおいて、カム部材１４の係合凹部１４ａと付勢された固定ピン１６が自動的に係合し、アームレスト１０は位置Ａに固定される。
【００２７】
上述したとおりのアームレスト装置２の作用効果について説明する。
【００２８】
アームレスト装置２は、一対のアームレスト１０、１０が、座席３の背当４の中を左右幅方向に貫通した回動自在な支持軸６の突出部それぞれに取り付けられ、背当４の中に支持軸６を所定の回動位置に解除自在に固定する固定手段８およびアームレスト１０の先端部側を上げる方向Ｚに支持軸６を付勢する付勢手段１２を備えている。したがって、固定手段８を解除することによりアームレスト１０を跳ね上げることができるとともに、アームレスト１０を跳ね上げる機構は、背当４の中に設置されているので、座席３の後方に飛び出すことが全くなく、剥き出しにならず見映えを悪くすることがなく製品価値を良くし、さらに座席３の左右幅関係に全く影響を与えないので背当４およびアームレスト１０の幅方向の大きさを制限することがない。
【００２９】
固定手段８は、支持軸６に一体に取り付けられ半径方向外方に開口する係合凹部１４ａを有した係合部材としてのカム部材１４と、背当４に取り付けられこの係合凹部１４ａに係脱自在に係合し支持軸６の回動を係止する係止部材としての固定ピン１６を備えているので、アームレスト１０を所定の位置に確実に固定することができ、着座した作業者の肘による荷重を十分確実に保持することができる。
【００３０】
係止部材としての固定ピン１６は、係合凹部１４ａと係合する方向に常に付勢されているので、係合状態が確実に保持される。また、常に係合方向に付勢されているので係合は自動的に行われる。したがって、作業者は固定ピン１６を解除方向にのみ操作すればよいので、操作が容易である。
【００３１】
固定手段８による支持軸６の回動位置の固定、そしてそれによるアームレスト１０の位置の固定状態は、背当４の前後方向の傾動を操作するリクライニングレバー２２の操作に連動して解除されるので、リクライニングレバー２２の操作と同時にアームレスト１０の跳ね上げを自動的に行うことができる。
【００３２】
座席３に座った作業者が、例えば建設機械を操縦する上で、アームレスト１０が不要のときには、背当４を傾動させないように押さえてリクライニングレバー２２を操作すれば、アームレスト１０のみを上方に背当４の横に跳ね上げることができる。
【００３３】
以上、本発明を実施例に基づいて詳細に説明したが、本発明は上記の実施例に限定されるものではなく、例えば下記のように、本発明の範囲内においてさまざまな変形あるいは修正ができるものである。
【００３４】
本発明の実施の形態においては、固定手段８は、支持軸６に取り付けられた係合凹部１４ａを有する
係合部材としてのカム部材１４と、背当４に取り付けられ係合凹部１４ａに係脱自在に係合する係止部材としての固定ピン１６を備えているが、固定手段はこの形態に限定されるものではなく、支持軸を所定の位置に解除自在に固定することができればよいから、例えば支持軸に取り付けた係合部材に支持軸の軸線方向に延びる係合穴を設け、この係合穴に係止部材としてのピンを軸線方向に動かして抜き差しするようにしてもよい。
【００３５】
本発明の実施の形態においては、付勢手段１２は、支持軸６を回動方向Ｚに付勢する引張コイルばね１２ｃを備えているが、これに代えて、支持軸６に被せるようにねじりばねを備えてもよい。
【００３６】
本発明の実施の形態においては、固定手段８の固定ピン１６の解除をリクライニングレバー２２と連動させて行なうようにしたが、連動させないで固定手段の解除を単独で操作できるようにしてもよい。
【図面の簡単な説明】
【００３７】
【図１】本発明に従って構成されたアームレスト装置を備えた座席の要部を、斜め左後方から見た斜視図。座席の背当部の後面を覆う背布は、内部が見えるように削除されている。
【図２】図1の固定手段の部分の拡大図。
【図３】図1の座席の要部を斜め右後方から見た斜視図。
【図４】本発明に係るアームレスト装置の構成および作動の説明図。
【図５】従来のアームレスト装置の説明図。
【符号の説明】
【００３８】
２：アームレスト装置３：座席４：背当６：支持軸８：固定手段１０：アームレスト１２：付勢手段１４：カム部材（係合部材）１６：固定ピン（係止部材）２２：リクライニングレバー
【図１】
2007105101.tif 000003
【図２】
2007105101.tif 000004
【図３】
2007105101.tif 000005
【図４】
2007105101.tif 000006
【図５】
2007105101.tif 000007